(57)【特許請求の範囲】
【請求項１】
収納箱の一方の縁部に、蓋体の一方の縁部に設けた蓋側係止部と整列可能な箱側係止部を設け、前記蓋体の他方の縁部には、一端が取付板に係止され、他端は前記蓋体を前記収納箱を開放する方向に付勢すべく該蓋体に係止する、ばね付勢手段が設けられ、
前記蓋体が前記収納箱を閉じた状態で、前記箱側係止部と前記蓋側係止部とを整列させて、紐状体を挿通させて前記蓋体の閉状態を保持させ、前記収納箱の外方に延出される前記紐状体の一端部を引っ張ることにより前記蓋体は前記ばね付勢手段の付勢力により開放され、
前記収納箱は物品を包む包装材を収納し、この包装材の端部に前記紐状体が止着されていることを特徴とする物品収納箱。
【請求項２】
前記箱側係止部は一対の管部材からなり、前記蓋側係止部は前記一対の管部材間に位置し得る管体からなり、前記蓋体の閉状態で前記紐状体の一端部を、前記一対の管部材と前記管体とに挿通させることにより蓋体の閉状態を保持させるようにしたことを特徴とする請求項１に記載の物品収容箱。
【請求項３】
前記包装材は布であることを特徴とする請求項１に記載の物品収納箱。
【請求項４】
前記ばね付勢手段はつるまきばねであることを特徴とする請求項１に記載の物品収納箱。
【請求項５】
前記包装材は袋であることを特徴とする請求項１に記載の物品収納箱。
【請求項６】
前記紐状体はステンレス鋼で成ることを特徴とする請求項１に記載の物品収納箱。
【請求項７】
前記取付板は裏側の収納部として形成され、表側と同様に前記裏側の収納部に対する蓋体が設けられていることを特徴とする請求項１に記載の物品収納箱。
【発明の詳細な説明】
【技術分野】
【０００１】
本発明は、物品収納箱に関し、特に緊急に物品を取り出す際に好適な物品収納箱に関する。
【背景技術】
【０００２】
図１８はこの種の物品収納箱を示すが（特開２００２−１１９６０５号公報）、図示ではハウジング３０はドア３２が開放された状態を示す。前後端を屈折させたラッチ２４が３個並設され、この中間部に弧状の受け台４００が取り付けられている。また、ハウジング３０側には複数個のカム３４が突接されている。図ではラッチ２４の前方曲げ部２４ａと受け台４００との間にマスク３６が保持されている。ドア３２をハウジング３０を塞ぐように回動すると（閉じる手段は図示されておらず、開示もされていない）、ラッチ２４の後方曲げ部２４ｂが一対のカム部３４に繋合することにより、ドア３２が閉状態を保持するようにしている。
【０００３】
この物品収納箱では、図示せずともドア３２の表側には何らかの摘みが形成されているのであろうが、これを摘んで開放するにしてもカム３４間で弾性繋合しているカム部３４からラッチ２４の後方曲げ部２４ｂを引き出すにはかなりの力を必要とすると考えられる。従って、この使用者が緊急にマスク３６を必要とする場合にドアを開ける時には（開けにくい）、上述のような保持力に打ち勝たなければならないばかりでなく、さらに図示の状態から物品であるマスク３６を取り出すのに、ラッチ２４の前方曲げ部２４ａと受け台４００との間に保持されているマスク３６を保持力に打ち勝って抜き取らなければなららない。これでは一刻を争う物品（マスク）の取出しにかなりの時間を必要とする。
【０００４】
【特許文献１】特開２００２−１１９６０５号公報
【発明の開示】
【発明が解決しようとする課題】
【０００５】
本発明は、一刻を争うような緊急状況の際に物品を簡単に取り出すことができる物品収納箱を提供することを課題とする。
【課題を解決するための手段】
【０００６】
以上の課題は、収納箱の一方の縁部に、蓋体の一方の縁部に設けた蓋側係止部と整列可能な箱側係止部を設け、前記蓋体の他方の縁部には、一端が取付板に係止され、他端は前記蓋体を前記収納箱を開放する方向に付勢すべく該蓋体に係止する、ばね付勢手段が設けられ、前記蓋体が前記収納箱を閉じた状態で、前記箱側係止部と前記蓋側係止部とを整列させて、紐状体（例えば、ワイヤ）を挿通させて前記蓋体の閉状態を保持させ、前記収納箱の外方に延出される前記紐状体（例えば、ワイヤ）の一端部を引っ張ることにより前記蓋体は前記ばね付勢手段の付勢力により開放されることを特徴とする物品収納箱によって解決される。
【０００７】
前記収納箱は、物品を包む包装材を収納していてもよい。前記包装材は、その一端に引張り部が形成されており、この引張り部は、前記収納箱の蓋体と本体との間から収納箱外部に延出されている。前記包装材の端部（または前期引張り部）には、前記紐状体が止着されており、この引張り部を引張ることにより、前記紐状体が引張られて前記蓋体の閉状態が開放されるとともに、収納箱に収納されている物品が取り出される。
【発明の効果】
【０００８】
本発明による物品収納箱によれば、緊急を要する場合（例えば地震等の災害時）に瞬時に必要な物品を取り出すことができる。単に紐状体を引張るだけで蓋体は開放され、物品を直ちに取り出すことができる。物品が包装材に包まれている場合には、この包装材に取り付けた紐状体の端部もしくは引張部を引張ることによりで包装材と共に物品が瞬時に（緊急に）取り出せる。
【発明を実施するための最良の形態】
【０００９】
図１は本発明の実施の形態による物品収納箱１を示す。図１では物品収納箱１のドア２が閉じた状態を示す。物品収納箱１の左縁部には、箱側係止部としての一対の管部材３ａ、３ｂが所定の間隔をおいて取り付けられている。これらの一対の管部材３ａ、３ｂの間にドア２の縁部に固定されている蓋体側係止部としての管体４（取付板ｑの一端に固定されている）が位置している。
【００１０】
ドア２とヒンジ取付板１３との間には、図３〜図５及び図１１に明示するバネ付ヒンジ５ａ、５ｂが取り付けられており、これらにはつるまきバネ６ａ、６ｂが用いられている。バネ付ヒンジ５ａ（５ｂ）のヒンジ取付板７ａ（７ｂ）とヒンジ取付部材８ａ（８ｂ）は、それぞれドア２及びヒンジ取付板１３にネジとナットｎにより固定されている。また、つるまきバネ６ａ（６ｂ）の両端部６ａａ、６ａｂ（６ｂａ、６ｂｂ）は、軸Ｃに関し図１１にも明示されるようにほぼ90°に屈曲されている。このつるまきバネ６ａ（６ｂ）の復元力によりドア２は開放方向に付勢されるようになっている。ドア２の閉状態が開放されたときに、つるまきバネ６ａ（６ｂ）の復元力により、ドア２はバネ付ヒンジ５ａ（５ｂ）周りに回転して開状態になる。
【００１１】
また図１において物品収納箱１の底壁面（１ａ）には一対の箱取付部材１２ａ、１２ｂが固定されており、これらを介して設置場所（例えば、建屋内に取り付けられた横棒）に保持させるようにしている。なお、箱取付部材１２ａ、１２ｂは他図では図示省略する。
【００１２】
図２は、収納物品箱１に収められる物品の包装材（布９）を示している。布９の一端には引張り部９ａが形成されており、これにステンレス鋼（これに限らないが、このような剛性のある材料が望ましい）で成る紐状体としてのワイヤ１１が取り付けられている。また布９には、収納物品箱１に脱着可能な留め具１０（例えば、「ベルクロ（ベルクロ  インダストリーズ  ベスローテン  フエンノートチャップ社の登録商標）」や「マジックテープ（株式会社クラレの登録商標）」などの面ファスナー）を取り付けてもよい。図７は包装部材の変形例（布９"）を示し、留め具１０が増加されている。
【００１３】
図６は、物品収納箱１のドア２が開いた状態を示す。収納部Ｒには、包装材（布９）とそれに包まれた物品が収納される。また収納部Ｒの内壁面には、前記留め具１０と対をなす留め具部材１０'を取り付けてもよい。留め具１０と留め具部材１０'とを重ね合わせることにより、布９は収納部Ｒの内壁に取り付けられ、物品収納箱１に納める物品は包みやすくなる。留め具１０と留め具部材１０'とは、容易に脱着可能であり、布９の引張り部９ａを引張ることにより容易に分離する。
【００１４】
図８〜図１０に示すように緊急時に持ち出す各種物品Ｍ（例えば、飲料水入り容器、食糧、医薬品、懐中電灯、手袋などの災害時持ち出し用物品）が布９に包まれ、収納部Ｒに納められる。このとき、布９は、留め具１０及び留め具部材１０'により、物品収納箱１に取り付けておいてもよい。
【００１５】
図１１はヒンジ部５ａ（５ｂ）のつるまきバネ６ａ、６ｂの作用を分り易く説明する図である。図１１−Ａは上述したように背面部から見たバネ付ヒンジ部５ａ、５ｂを示し、図１１−Ｂはこのバネ付ヒンジ部５ａ、５ｂに設けられた軸Ｃの周りにコイル部が巻回されるつるまきバネ６ａ、６ｂの正面図である。この一端部６ａａ、他端部６ａｂが、上述したようにやはりほぼ９０°に屈曲されているが、これを誇張的に示している。この両端部６ａａ、６ａｂは、図１１−Ｃで示すように自然状態では垂下した状態である。このためドア２が閉状態（図１１−Ｂの状態）から開放されるときには、つるまきバネ６ａ、６ｂは自然状態に復元しようとする力が作用して、ドア２は、取付板１３に当接する方向に回転して開放され、バタつくことなく開状態（図１１−Ｃの状態）が維持される。これからドア２側及び取付板１３側に当接するようにほぼ90°に折り曲げた状態では復元力がこれらに働いて圧接される。図１２は更にこの作用を明示するための図である。図１２−Ａは正面図でありドア２が閉じた状態を示している。図１２−Ｂは図１２−ＡにおけるＢ−Ｂ線方向矢視図である。ドア２が一対の管部材３ａ、３ｂ及びこの間に位置する管体４にワイヤ１１が挿通している状態を示すが、矢印で示すようにドア２及び取付板１３にはバネ力が働く。これにより、図１２−Ｃで示すようにワイヤ１１を引張り出すと、管部材３ａ、３ｂ、管体４との繋合が外されて上述のバネ力により勢いよくドア２は矢印に示す方向に回動する。
【００１６】
本発明の実施の形態による物品収納箱１は以上のように構成されるが、次にこの作用、もしくは操作法について説明する。
【００１７】
今、地震が発生したとする。ヒトが物品収納箱１から下方に飛び出している布９の引張部９ａを下に引張ると、これに取り付けられたワイヤ１１は一対の管部材は３ａ、３ｂ及びこの間に位置する管体４から簡単に抜け出す。よって、ドア２はバネ力により開放され、勢いよくドア２はヒンジ取付板１３に向かって開放する。ヒトは包装物もしくは物品を何ら保持力に打ち勝つ必要無く簡単に取り出せる。図１０を参照して明らかなように物品Ｍ、布９は収納部Ｒに何ら保持させるものもなく迅速に取り出せる。
【００１８】
本発明の第２の実施の形態によれば、図１においてヒンジ取付板１３（他方の収納部Ｒ'の壁板となる）の後方に収納部Ｒに相当する収納部Ｒ'を構成し、この側方に図１（正面図）と同様にドア２をヒンジ部で取り付けるようにしている。図１でＡの収納箱部を大人用の物品収納部とし、後側の物品収納箱部Ｂを子供用とする。この場合には後ろ側の収納部Ｒ'にも図２と同様な布９'（この引張り部９ａ'は一点鎖線で示される）が子供用の物品を包装しているものとする。
【００１９】
図１３は本発明の第３の実施の形態におけるワイヤ１１を示すが、本発明の実施の形態では先端部に剛性の細長いキャップ１１ａが取り付けられている。或いは、ワイヤ１１（この場合にはワイヤはかなりフレキシブルなものとする）の先端に剛棒１１ａが取り付けられている。
【００２０】
この実施の形態においてもキャップ（または剛棒）１１ａは図１で示す一対の管部材３ａ、３ｂ及びこの間に位置する管体４に挿通させる。作用、操作方法については第１の実施の形態と同様である。
【００２１】
図１７は更なる変形例を示す。この例では、ワイヤ１１を折り返しており、先端部の２重部分もしくは１１ｄを上方の管部材３ａから突出しており、この部分は弾力性があり、収納箱を縦置きにした場合であっても管部材３ａ、３ｂから自重などで抜け落ちることがない。下方の管部材３ｂから下方へ突出している部分は折り返して１１ｄ、１１ｄの２本となっている。またワイヤ１１を引張る力の方向が多少変わったとしても、上述の剛棒１１ａに比べて柔軟性があるので、よりスムーズにワイヤ先端部を管部材３ａ、３ｂから引き出すことができる。なお、止金ｍはワイヤ１１の上方への抜け防止である。
【００２２】
以上、本発明の実施例について説明したが、勿論、本発明はこれらに限定されることなく、本発明の技術的思想に基いて種々の変形が可能である。
【００２３】
例えば、以上の実施の形態では物品収納部に地震等の災害発生時に緊急に持ち出す物品を説明したが、物品は勿論、これらに限られることなく、また収納箱の大小は問題でなく、他の物品（例えば救命具）を収納するようにしてもよい。この場合、図１においてＡ、Ｂとでそれぞれ大人用収納箱、子供用収納箱に区別して使用するようにしてもよい。
【００２４】
また、以上の実施の形態では一対の管部材及びこの間に位置する管体４により、箱側係止部及びドア側係止部を形成したが、更にこれらの個数を増加させてもよい。
【００２５】
また、以上の実施の形態では物品収納箱の収納部Ｒに収納する包装材は布としたが、これに代えて袋状の包装材を用いてもよい。また、包装材を省略して物品をそのまま収納部Ｒに納めるようにしてもよい。この場合にはワイヤの一端部はドアと収納箱との隙間から外方に突出している。
【００２６】
また、以上の実施の形態ではバネ付勢手段としてヒンジに取り付けられたつるまきバネを用いたが、これに限ることなく他の弾性部材、例えば図１４に示すように板ばね３０を用いてもよい。この場合この一端は上述のヒンジ取付板１３に取り付けられ、他端はドア２の縁部に若干曲げた状態で取り付ける。この状態でドアが閉状態を保持するのであるが、この場合には係止部からワイヤ１１の離脱により板ばねの復元力により、第１の実施の形態と同様にドア２は急速に開放されることができる。
【００２７】
請求項１の紐状体は、上述のようにワイヤ（ステンレス鋼）であってもよいし、繊維を編んだもの、また針金であってもよい。
【００２８】
図１４は物品収納箱の更なる変形例を示すが、収納本体４０、収納空間Ｒの上方では板ばね３０の曲げ部が延在しており、この端部３０ａは取付板１３にネジ留め固定される。また、他端部３０ｂは図示するように上方に屈曲しており、この上端面に形成した当接面３０Ｃがドア２の内面が接して配設されている。従ってドア２は閉時、板ばね３０のバネ力によってヒンジ軸に相当する端部３０ａの軸の周りに回動付勢されている。上記実施の形態と同様にワイヤ１１を引張りだすと、ドア２は、板ばね３０の復元力により、取付板１３への取付部（図示せず）の周りに回動して開放される。また、この板ばね３０は複数本設けることが好ましく、例えば第１の実施の形態と同様に２個並設させてもよい。
【００２９】
図１５は上記物品収納箱の更なる変形例を示すが、本変形例では収納本体４０の内壁面に上記の一対の管部材３ａ、３ｂ、及びこの間に位置する管体４をドア２の背面側で内壁面に固定される。図１５においてもワイヤ１１は上記実施の形態と同様に管部材３ａ、３ｂ及びこの間に位置する管体４に挿通させて収容本体４０側から外方へと開かれるのであるが、収納本体４０の底壁に小さな孔を設けてここを挿通して導出するようにしてもよい。
【００３０】
図１６は更なる変形例を示すが、収納本体４０の外壁にステッキの柄状のフック３２ａ'、３２ｂ'が取り付けられて、この間にドア２側のフック３２ｃ'がこの間に位置するように（一点鎖線で示す）ドア２の端部に固定される。ワイヤ１１はこれらのステッキの端部に当接するように配設される。
【図面の簡単な説明】
【００３１】
【図１】本発明の実施の形態による物品収納箱の正面図。
【図２】同物品収納箱内に収められる布の平面図。
【図３】同物品収納箱の斜視図。
【図４】同物品収納箱の正面部の部分拡大斜視図。
【図５】同物品収納箱のドアと取付板の裏側から見たヒンジ部の拡大斜視図。
【図６】同物品収納箱のドアを開放した状態を示した斜視図。
【図７】布の変形例を示す平面図。
【図８】同物品収納箱に取出しに緊急を要する物品を収納した状況を示す斜視図。
【図９】同物品収納箱の重要部分である一対の管部材を明らかにするための拡大斜視図。
【図１０】図９の状態からワイヤを引張り出して中の物品を取り出した状況を示す斜視図。
【図１１】図１１−Ａはヒンジ部の作用を説明するための拡大正面図。図１１−Ｂは図１１−ＡにおけるＢ−Ｂ線方向の断面図。図１１−Ｃは図１１−Ｂにおけるつるまきバネの自然状態を示す断面図。
【図１２】図１２−Ａは本発明の実施形態における物品収納箱のドアが閉じた状態を示している正面図。図１２−Ｂは図１１−ＡにおけるＢ−Ｂ線方向矢視図である。図１２−Ｃは開放動作を示す図。
【図１３】本発明の第３の実施の形態におけるワイヤを示す。
【図１４】物品収納箱の第１変形例を示す。
【図１５】物品収納箱の第２変形例を示す。
【図１６】物品収納箱の第３変形例を示す。
【図１７】物品収納箱の第４変形例の部分拡大図である。
【図１８】従来例の物品収納箱のドアを開放した状態の斜視図。
【符号の説明】
【００３２】
１・・・物品収納箱、２・・・ドア、３ａ、３ｂ・・・管部材、４・・・管体、５ａ、５ｂ・・・バネ付ヒンジ、６ａ、６ｂ・・・つるまきバネ、９・・・布、１１・・・ワイヤ、１３・・・取付板、４０・・・収納本体
【図１】
0004795770.tif 000002
【図２】
0004795770.tif 000003
【図３】
0004795770.tif 000004
【図４】
0004795770.tif 000005
【図５】
0004795770.tif 000006
【図６】
0004795770.tif 000007
【図７】
0004795770.tif 000008
【図８】
0004795770.tif 000009
【図９】
0004795770.tif 000010
【図１０】
0004795770.tif 000011
【図１１】
0004795770.tif 000012
【図１２】
0004795770.tif 000013
【図１３】
0004795770.tif 000014
【図１４】
0004795770.tif 000015
【図１５】
0004795770.tif 000016
【図１６】
0004795770.tif 000017
【図１７】
0004795770.tif 000018
【図１８】
0004795770.tif 000019